(57)【要約】  ユーザー装置（ＵＥ）においてページング物理リソースブロック（ＰＲＢ）の情報を取得する方法、基地局においてＵＥに対してページングＰＲＢの情報を指示する方法、ＵＥにおいてページングＰＲＢの割り当てを決定する方法、基地局においてページングＰＲＢを割り当てる方法、並びに基地局及びＵＥを提供すること。前記ユーザー装置（ＵＥ）においてページング物理リソースブロック（ＰＲＢ）の情報を取得する方法は、アンカーＰＲＢを検出することと、前記アンカーＰＲＢが持つ情報を読み取ることと、前記アンカーＰＲＢが持つ情報に基づき、該アンカーＰＲＢに対応するノンアンカーページングＰＲＢの情報を取得することと、を含む。この方法によって、ＵＥに対してノンアンカーページングＰＲＢを指示することができる。
2018030538.tif 000002
【特許請求の範囲】
【請求項１】
ＮＢ−ＩｏＴ用のユーザ端末であって、
アンカーキャリアに対応するノンアンカーキャリアの情報を受信する受信部を具備し、前記受信部は、ノンアンカーキャリアでのページング設定を受信することを特徴とするユーザ端末。
【請求項２】
ノンアンカーキャリアでのページング設定に関する情報をＳＩＢで受信することを特徴とする請求項１記載のユーザ端末。
【請求項３】
ページングリソースのインデックスを生成することを特徴とする請求項１又は請求項２記載のユーザ端末。
【請求項４】
前記インデックスは、ユーザ端末の識別子を用いて求められることを特徴とする請求項３記載のユーザ端末。
【請求項５】
ＮＢ−ＩｏＴ用のユーザ端末と通信する無線基地局であって、
アンカーキャリアに対応するノンアンカーキャリアの情報を送信する送信部を具備し、前記送信部は、ノンアンカーキャリアでのページング設定を送信することを特徴とする無線基地局。
【請求項６】
ＮＢ−ＩｏＴ用のユーザ端末と無線基地局との間の無線通信方法であって、
前記無線基地局が、アンカーキャリアに対応するノンアンカーキャリアの情報を前記ユーザ端末に送信する工程と、
前記無線基地局が、ノンアンカーキャリアでのページング設定を前記ユーザ端末に送信する工程と、
を具備することを特徴とする無線通信方法。
【発明の詳細な説明】
【技術分野】
【０００１】
本開示は移動通信分野に関し、さらに具体的にはユーザ（ＵＥ）装置においてページング物理リソースブロック（ＰＲＢ）の情報を取得する方法、基地局においてＵＥに対してページングＰＲＢの情報を指示する方法、ＵＥにおいてページングＰＲＢの割り当てを決定する方法並びに基地局及びＵＥに関する。
【背景技術】
【０００２】
一般的には、狭帯域モノのインターネット（ＮＢ−ＩｏＴ）においては、アンカーＰＲＢ（ａｎｃｈｏｒ  ＰＲＢ）上でのみブロードキャストチャネルを送信することでページング転送を行う。ただし、それによってアンカーＰＲＢでのページングトラフィックが非常に集中し、アンカーＰＲＢの負荷がオーバーしてしまう。そのため、ノンアンカーＰＲＢ（ｎｏｎ  ａｎｃｈｏｒ  ＰＲＢ）をページングＰＲＢ（すなわちノンアンカーページングＰＲＢ）として配置することで、アンカーＰＲＢでのページングトラフィックをアンロードし、アンカーＰＲＢの負荷を軽減させる。
【発明の概要】
【発明が解決しようとする課題】
【０００３】
しかし、未だにＵＥに対してノンアンカーＰＲＢをどのように指示するかについて論じたことがなく、且つ未だにＵＥにページングＰＲＢをどのように割り当てるかについても論じたことがなく、したがって、ＵＥに対してページングＰＲＢを指示しページングＰＲＢの割り当てを決定する方法を必要としている。
【課題を解決するための手段】
【０００４】
本発明の一態様に係るユーザ端末は、ＮＢ−ＩｏＴ用のユーザ端末であって、アンカーキャリアに対応するノンアンカーキャリアの情報を受信する受信部を具備し、前記受信部は、ノンアンカーキャリアでのページング設定を受信することを特徴とする。【０００５】
本開示の１つの実施例によれば、ユーザ装置（ＵＥ）においてページング物理リソースブロック（ＰＲＢ）の情報を取得する方法を提供し、該方法は、アンカーＰＲＢを検出することと、前記アンカーが持つ情報を読み取ることと、前記アンカーが持つ情報に基づき、該アンカーＰＲＢに対応するノンアンカーページングＰＲＢの情報を取得することと、を含む。【０００６】
該実施例に係る方法において、前記アンカーＰＲＢが持つ情報に基づき、該アンカーＰＲＢに対応するノンアンカーページングＰＲＢの情報を取得することは、前記アンカーＰＲＢが持つ情報から、ページングＰＲＢ数とノンアンカーページングＰＲＢのオフセット値を取得することを含み、前記オフセット値は、参照周波数に対する前記ノンアンカーページングＰＲＢのオフセット値である。【０００７】
該実施例に係る方法において、前記アンカーＰＲＢが持つ情報には、ノンアンカーＰＲＢをページングＰＲＢとして配置するかを指示するためのフラグを含み、前記アンカーＰＲＢが持つ情報に基づき、該アンカーＰＲＢに対応するノンアンカーページングＰＲＢの情報を取得することは、前記フラグによりノンアンカーページングＰＲＢが配置されたことを示す場合、所定の規則によって該アンカーページングＰＲＢに対応するノンアンカーページングＰＲＢの情報を取得することを含む。【０００８】
該実施例に係る方法において、前記所定の規則は、予め決定されたページングＰＲＢ数と参照周波数に対するノンアンカーページングＰＲＢのオフセット値によって該アンカーＰＲＢに対応するノンアンカーページングＰＲＢの位置を取得することを含む。【０００９】
本開示のもう１つの実施例によれば、アンカー物理リソースブロック（ＰＲＢ）を検出するように配置された検出部と、前記アンカーＰＲＢが持つ情報を読み取るように配置された読取部と、前記アンカーＰＲＢが持つ情報に基づき、該アンカーＰＲＢに対応するノンアンカーページングＰＲＢの情報を取得するように配置された取得部と、を備えるユーザ装置（ＵＥ）を提供する。【００１０】
該実施例に係るＵＥにおいて、前記取得部は、前記アンカーＰＲＢが持つ情報からページングＰＲＢ数とノンアンカーページングＰＲＢのオフセット値を取得し、前記オフセット値は、参照周波数に対する前記ノンアンカーページングＰＲＢのオフセット値である。【００１１】
該実施例に係るＵＥにおいて、前記アンカーＰＲＢが持つ情報は、ノンアンカーＰＲＢをページングＰＲＢとして配置するかを指示するためのフラグを含み、前記取得部は、前記フラグによりノンアンカーページングＰＲＢが配置されたことを示す場合、所定の規則によって該アンカーＰＲＢに対応するノンアンカーページングＰＲＢの情報を取得する。【００１２】
該実施例に係るＵＥにおいて、前記所定の規則は、予め決定されたページングＰＲＢ数と参照周波数に対するノンアンカーページングＰＲＢのオフセット値によって該アンカーＰＲＢに対応するノンアンカーページングＰＲＢの位置を取得することを含む。【００１３】
本開示のもう１つの実施例によれば、基地局においてユーザ装置（ＵＥ）に対してページング物理リソースブロック（ＰＲＢ）の情報を指示する方法を提供し、該方法は、アンカーＰＲＢに対応するノンアンカーページングＰＲＢを指示する情報を設定することと、アンカーＰＲＢで前記指示するための情報を送信することと、を含む。【００１４】
該実施例に係る方法において、アンカーＰＲＢに対応するノンアンカーページングＰＲＢを指示する情報を設定することは、前記指示するための情報にページングＰＲＢ数とノンアンカーページングＰＲＢのオフセット値を含めることを含み、前記オフセット値は、参照周波数に対する前記ノンアンカーページングＰＲＢのオフセット値である。【００１５】
該実施例に係る方法において、前記指示するための情報は、ノンアンカーＰＲＢをページングＰＲＢとして配置するかを指示するためのフラグを含む。【００１６】
該実施例に係る方法において、所定の規則に基づき、予め決定したページングＰＲＢ数と参照周波数に対するノンアンカーページングＰＲＢのオフセット値によって該アンカーＰＲＢに対応するノンアンカーページングＰＲＢを決定する。【００１７】
本開示のもう１つの実施例によれば、アンカー物理リソースブロック（ＰＲＢ）に対応するノンアンカーページングＰＲＢを指示する情報を設定するように配置された設定部と、アンカーＰＲＢで前記指示するための情報を送信するように配置された送受信器と、を備える基地局を提供する。【００１８】
該実施例に係る基地局において、前記設定部は、前記指示するための情報にページングＰＲＢ数とノンアンカーページングＰＲＢのオフセット値を含め、前記オフセット値は、参照周波数に対する前記ノンアンカーページングＰＲＢのオフセット値である。【００１９】
該実施例に係る基地局において、前記指示するための情報は、ノンアンカーＰＲＢをページングＰＲＢとして配置するかを指示するためのフラグを含む。【００２０】
該実施例に係る基地局において、前記設定部は、所定の規則に基づき、予め決定したページングＰＲＢ数と参照周波数に対するノンアンカーページングＰＲＢのオフセット値によって該アンカーＰＲＢに対応するノンアンカーページングＰＲＢを決定する。【００２１】
本開示のもう１つの実施例によれば、ユーザ装置（ＵＥ）においてページング物理リソースブロック（ＰＲＢ）の割り当てを決定する方法を提供し、該方法は、複数のページングＰＲＢのページングＰＲＢインデックスを生成することと、ＵＥとページングＰＲＢインデックスの間のマッピング関係によって、前記複数のページングＰＲＢのうち該ＵＥに割り当てられたページングＰＲＢを決定することと、を含む。【００２２】
該実施例に係る方法において、ＵＥとページングＰＲＢインデックスの間のマッピング関係によって、前記複数のページングＰＲＢのうち該ＵＥに割り当てられたページングＰＲＢを決定することは、ＵＥの識別子（ＵＥ_ＩＤ）とページングＰＲＢ数Ｎを取得することと、ＵＥ_ＩＤがＮを法とする結果を計算することと、該結果に基づいてページングＰＲＢインデックスを決定することとを含む。【００２３】
該実施例に係る方法において、該結果に基づいてページングＰＲＢインデックスを決定することは、前記結果をウェイトで除算し、ウェイトで除算して得た値に基づいてページングＰＲＢインデックスを決定することを含み、前記ウェイトは、基地局により割り当てられる。【００２４】
本開示のもう１つの実施例によれば、複数のページング物理リソースブロック（ＰＲＢ）のページングＰＲＢインデックスを生成するように配置されたインデックス生成部と、ＵＥとページングＰＲＢインデックスの間のマッピング関係によって、前記複数のページングＰＲＢのうち該ＵＥに割り当てられたページングＰＲＢを決定するように配置された決定部と、を備えるユーザ装置（ＵＥ）を提供する。【００２５】
本実施例に係るＵＥにおいて、前記決定部は、ＵＥの識別子（ＵＥ_ＩＤ）とページングＰＲＢ数Ｎを取得し、ＵＥ_ＩＤがＮを法とする結果を計算し、該結果に基づいてページングＰＲＢインデックスを決定する。【００２６】
本実施例に係るＵＥにおいて、前記決定部は、前記結果をウェイトで除算し、ウェイトで除算して得た値に基づいてページングＰＲＢインデックスを決定し、前記ウェイトは、基地局により割り当てられる。【００２７】
本開示のもう１つの実施例によれば、基地局においてページング物理リソースブロック（ＰＲＢ）を割り当てる方法を提供し、該方法は、複数のページングＰＲＢのページングＰＲＢインデックスを生成することと、ユーザ装置（ＵＥ）とページングＰＲＢインデックスの間のマッピング関係によってページングＰＲＢを割り当てることと、を含む。【００２８】
該実施例に係る方法において、ＵＥとページングＰＲＢインデックスの間のマッピング関係によってページングＰＲＢを割り当てることは、ＵＥの識別子（ＵＥ_ＩＤ）とページングＰＲＢ数Ｎを取得することと、ＵＥ_ＩＤがＮを法とする結果を計算することと、該結果に基づいてページングＰＲＢインデックスを割り当てることと、を含む。【００２９】
該実施例に係る方法において、該結果に基づいてページングＰＲＢインデックスを割り当てることは、前記結果をウェイトで除算し、ウェイトで除算して得た値に基づいて割り当てられたページングＰＲＢインデックスを取得し、前記ウェイトは、基地局により割り当てられる。【００３０】
本開示のもう１つの実施例によれば、複数のページング物理リソースブロック（ＰＲＢ）のページングＰＲＢインデックスを生成するように配置されたインデックス生成部と、ユーザ装置（ＵＥ）とページングＰＲＢインデックスの間のマッピング関係によってページングＰＲＢを割り当てるように配置された割当部と、を備える基地局を提供する。【００３１】
該実施例に係る基地局において、前記割当部は、ＵＥの識別子（ＵＥ_ＩＤ）とページングＰＲＢ数Ｎを取得し、ＵＥ_ＩＤがＮを法とする結果を計算し、該結果に基づいてページングＰＲＢインデックスを割り当てる。【００３２】
該実施例に係る基地局において、前記割当部は、前記結果をウェイトで除算し、ウェイトで除算して得た値に基づいて割り当てられたページングＰＲＢインデックスを取得し、前記ウェイトは、基地局により割り当てられる。
【図面の簡単な説明】
【００３３】
図面を参照しながら本開示の実施例についてさらに詳細に説明することで、本開示の上述した内容並びにその他の目的、特徴及び長所はより明らかになる。図面は本開示の実施例をさらに理解するために提供され、明細書を構成する一部として見なされ、本開示の実施例とともに本開示を解釈するために用いられるが、本開示を限定するものではない。図面において、同じ参照符号は同じ構成要素又はステップを示す。【００３４】
【図１】本開示の実施例を適用可能なＮＢ−ＩｏＴシステムを示す概略図。
【図２】本開示の第１の実施例に係る基地局においてＵＥに対してページングＰＲＢの情報を指示するための方法を示す概略的なフローチャート。
【図３】図３Ａは、本開示の実施例に係るＳＩＢ２においてページングＰＲＢ数と各オフセット値を設定する方法を示す図。図３Ｂは、周波数軸においてアンカーＰＲＢに対する各ノンアンカーページングＰＲＢの位置を示す図。
【図４】本開示の第１の実施例に係るＵＥにおいてページングＰＲＢの情報を取得する方法を示す概略的なフローチャート。
【図５】本開示の第１の実施例に係る基地局の構成を示す概略的なブロック図。
【図６】本開示の第１の実施例に係るＵＥの構成を示す概略的なブロック図。
【図７】ページングＰＲＢの数がｍである場合のページングＰＲＢの配置を示す概略図。
【図８】本開示の実施例に係るＵＥにおいてページングＰＲＢの割り当てを決定するための方法を示す概略的なフローチャート。
【図９】割り当てられたページングＰＲＢインデックスの例を示す図。
【図１０】本発明の実施例に係る基地局においてページングＰＲＢを割り当てる方法を示す概略的なフローチャート。
【図１１】本開示の実施例に係るＵＥの構成を示す概略的なブロック図。
【図１２】本開示の実施例に係る基地局の構成を示す概略的なブロック図。
【発明を実施するための形態】
【００３５】
本開示の目的、技術案及び利点をより明らかにするために、以下に図面を参照しながら本開示の例示的実施例を詳細に説明する。当然ながら、記述される実施例は本開示の一部の実施例に過ぎず、本開示の全ての実施例ではなく、本開示はここで記述される例示的な実施例に限定されるものではないことを理解されるべきである。本開示に記載の実施例に基づき、当業者が創造的な労力を要さずに想到しうる他の実施例は、いずれも本開示の保護範囲内に含まれる。
【００３６】
以下、ＮＢ−ＩｏＴについての本開示の技術案について説明する。ただし、当業者であれば、本開示の技術案が様々な通信システムに適用可能であることを理解すべきである。
【００３７】
図１は本開示の実施例を適用可能なＮＢ−ＩｏＴシステムを示す概略図である。図１に示すように、該ＮＢ−ＩｏＴシステムは基地局１０及びユーザ装置２０を含み、基地局１０はユーザ装置２０にブロードキャスト情報を送信し、ユーザ装置２０は当該ブロードキャスト情報を受信して検出し、対応の操作を実行する。このシステムにおいて、基地局１０及びユーザ装置２０は例えば１８０ｋＨｚの帯域を介して通信を行う。なお、当該システムにおいて、ノンアンカーＰＲＢをページング物理リソースブロック（ＰＲＢ）として配置してもよい。
【００３８】
以下、図面を参照しながら本開示の実施例について説明する。
【００３９】
本開示の第１の実施例において、基地局はＵＥに対して直接ページングＰＲＢを指示する。本開示の第２の実施例において、基地局とＵＥの間に予め規則を決定し、ＵＥは規則に基づきページングＰＲＢを決定する。
【００４０】
具体的に、ＮＢ−ＩｏＴにおいては、アンカーＰＲＢにてシステム情報など複数の情報を転送／持つことができる。システム情報はマスター情報ブロック（ＭＩＢ：Ｍａｓｔｅｒ  Ｉｎｆｏｒｍａｔｉｏｎ  Ｂｌｏｃｋ）及びＳＩＢ１−ＳＩＢ９など、１つ又は複数のシステム情報ブロック（ＳＩＢｓ：Ｓｙｓｔｅｍ  Ｉｎｆｏｒｍａｔｉｏｎ  Ｂｌｏｃｋｓ）を含む。本開示の実施例においては、アンカーＰＲＢにて転送される情報によってＵＥに対してページングＰＲＢを指示する。
【００４１】
図２は本開示の第１の実施例に係る基地局においてＵＥに対してページングＰＲＢの情報を指示するための方法２００を示す概略的なフローチャートである。この方法は基地局によって実行される。
【００４２】
図２に示すように、Ｓ２１０において、アンカーＰＲＢに対応するノンアンカーページングＰＲＢを指示する情報を設定する。第１の実施例において、基地局はＳＩＢ２においてページングＰＲＢの数とノンアンカーページングＰＲＢのオフセット値を設定し、前記オフセット値は参照周波数に対するノンアンカーページングＰＲＢのオフセット値である。
【００４３】
本実施例において、基地局とＵＥの間で予めページングＰＲＢにアンカーＰＲＢを含めるか否かを定める。１つの例において、ページングＰＲＢはアンカーＰＲＢ及びノンアンカーページングＰＲＢを含み、この場合、基地局は（ページングＰＲＢの数−１）個のノンアンカーページングＰＲＢのオフセット値を設定する。もう１つの例において、ページングＰＲＢはノンアンカーページングＰＲＢのみを含み、この場合、基地局は（ページングＰＲＢの数）個のノンアンカーページングＰＲＢのオフセット値を設定する。いずれの場合でも、ＵＥは自らアンカーＰＲＢを検出することができるため、基地局がアンカーＰＲＢに対応するノンアンカーページングＰＲＢの情報を送信すると、ＵＥは全てのページングＰＲＢを知ることができる。
【００４４】
なお、参照周波数は例えばアンカーＰＲＢの周波数、直流トーン（ＤＣ  ｔｏｎｅ）の周波数又は他の所定の周波数など、ＵＥが予め決定（又は知る）することができる任意の周波数である。
【００４５】
１つの例において、参照周波数はアンカーＰＲＢの周波数であり、それに対応して、ノンアンカーページングＰＲＢのオフセット値はアンカーＰＲＢに対するノンアンカーＰＲＢのオフセット値であり、したがってアンカーＰＲＢの位置及び該位置に対するノンアンカーページングＰＲＢのオフセット値に基づきノンアンカーページングＰＲＢの位置を決定することができる。
【００４６】
もう１つの例において、参照周波数は直流トーンの周波数であり、それに対応して、ノンアンカーページングＰＲＢのオフセット値は直流トーンに対するノンアンカーページングＰＲＢのオフセット値であり、したがって直流トーンの位置及び該位置に対するノンアンカーページングＰＲＢのオフセット値に基づきノンアンカーページングＰＲＢの位置を決定することができる。この例において、ＭＩＢに直流トーンに対するアンカーＰＲＢのオフセット値を指示するための５ｂｉｔの情報がさらに含まれるため、該情報によってアンカーＰＲＢに対する各ノンアンカーページングＰＲＢの位置を算出することもできる。
【００４７】
様々な方式でオフセット値（Ｏｆｆｓｅｔ）を表示することができる。
【００４８】
１つの例においては、ＰＲＢの数を単位としてオフセット値を表示する。この場合、オフセット値は正の数又は負の数で表れてもよく、正負の符号は該ノンアンカーページングＰＲＢが周波数軸で参照周波数に対して周波数が高くなっている方向にあるかそれとも周波数が低くなっている方向にあるかを示し，オフセット値の絶対値は該ノンアンカーページングＰＲＢと参照周波数の間のＰＲＢの数を示す。各ＰＲＢに占められる帯域の大きさが固定されているため、ＵＥはオフセット値によって各ノンアンカーページングＰＲＢの周波数位置を算出することができる。又は、他の例においては、オフセット値は正負に分けることなく、ノンアンカーページングＰＲＢが参照周波数の所定側（周波数がより高い側又は周波数がより低い側）において参照周波数との間のＰＲＢの数を示してもよい。もうの１つの例においては、さらに他の情報（例えば１ビッド）でオフセット値の正負を表してもよい。
【００４９】
別の例において、周波数の差でオフセット値を表示してもよい。このような場合、オフセット値は該ノンアンカーページングＰＲＢの周波数と参照周波数の間の差であってもよい。オフセット値の正負は該ノンアンカーページングＰＲＢが周波数軸で参照周波数に対して周波数が高くなる方向にあるかそれとも周波数が低くなっている方向にあるかを示し，絶対値は該ノンアンカーページングＰＲＢと参照周波数の間の周波数の間隔を示す。
【００５０】
図３Ａは本開示の実施例に係るＳＩＢ２においてページングＰＲＢ数と各オフセット値を設定する方法を示す図である。図３Ａに示すように、ＳＩＢ２において、ページングＰＲＢの数Ｎ、及び参照周波数に対する各ノンアンカーページングＰＲＢのオフセット値Ｏｆｆｓｅｔ＿１、Ｏｆｆｓｅｔ＿２、……、Ｏｆｆｓｅｔ＿Ｎ−１を設定する。様々な順序によって各オフセット値Ｏｆｆｓｅｔ＿１、Ｏｆｆｓｅｔ＿２、……、Ｏｆｆｓｅｔ＿Ｎ−１を配列することができる。例えば、ノンアンカーページングＰＲＢの周波数の昇順又は降順、オフセット値の絶対値の大きさ若しくはノンアンカーページングＰＲＢから参照周波数（例えば、アンカーＰＲＢ又は直流トーン）までの距離の昇順又は降順、ランダム順序及び他の任意の適切な順序でよい。注意すべきことは、図３ＡはページングＰＲＢにアンカーＰＲＢとノンアンカーページングＰＲＢを含める場合を示しているため、ＳＩＢ２においてＮ−１個のノンアンカーページングＰＲＢのオフセット値を設定すればよい。ページングＰＲＢにノンアンカーページングＰＲＢのみを含める場合、ＳＩＢ２においてＮ個のノンアンカーページングＰＲＢのオフセット値を設定する。
【００５１】
図３Ｂは周波数軸においてアンカーＰＲＢに対する各ノンアンカーページングＰＲＢの位置を示す図であり、図３Ｂにおいて、矢印で示された方向は周波数が高くなっている方向を表示する。図３Ｂに示すように、ノンアンカーページングＰＲＢはアンカーＰＲＢの両側に位置している。ただし、これは限定的なものではなく、ノンアンカーページングＰＲＢはアンカーＰＲＢの同一側、例えば周波数がより高い側又は周波数がより低い側に位置してもよい。
【００５２】
図２に戻り、Ｓ２２０において、アンカーＰＲＢにてアンカーＰＲＢに対応するノンアンカーページングＰＲＢを指示する情報を送信する。
【００５３】
上述したように、ＳＩＢ２によってページングＰＲＢの数とノンアンカーページングＰＲＢのオフセット値を転送してもよく、この場合、アンカーＰＲＢにてＳＩＢ２を送信することで、アンカーＰＲＢに対応するノンアンカーページングＰＲＢを指示する情報を送信する。ただし、当業者にとって理解すべきことは、さらにアンカーＰＲＢにて転送される他の情報によってアンカーＰＲＢに対応するノンアンカーページングＰＲＢを指示する情報を送信してもよい。基地局とＵＥの間で予め具体的にどの情報によってアンカーＰＲＢに対応するノンアンカーページングＰＲＢを指示する情報を送信するかを取り決めればよい。
【００５４】
基地局は定期的にアンカーＰＲＢによって上記ＳＩＢ２を送信し、なお毎回送信されるＳＩＢ２に含まれるページングＰＲＢの数とノンアンカーページングＰＲＢのオフセット値は異なってもよい。定期的に上記ＳＩＢ２を受信することで、同一アンカーＰＲＢに対しても、ＵＥは動的にページングＰＲＢに関する情報を更新することができる。
【００５５】
図４は本開示の第１の実施例に係るＵＥにおいてページングＰＲＢの情報を取得する方法４００を示す概略的なフローチャートである。
【００５６】
図４に示すように、Ｓ４１０において、アンカーＰＲＢを検出する。例えば、ＵＥはプライマリー同期信号（ＰＳＳ）／セカンダリー同期信号（ＳＳＳ）によってアンカーＰＲＢを検出することで、アンカーＰＲＢの周波数位置を決定してもよい。ＵＥは本分野で公知の方法を用いてアンカーＰＲＢを検出してよいため、ここでは説明を省略する。
【００５７】
Ｓ４２０において、アンカーＰＲＢが持つ情報を読み取る。第１の実施例において、基地局がＳＩＢ２によってページングＰＲＢの数とノンアンカーページングＰＲＢのオフセット値を送信するため、ＵＥはアンカーＰＲＢが持つＳＩＢ２を読み取ることができる。他の実施例において、基地局とＵＥの間で予めアンカーＰＲＢが持つ他の情報を用いてページングＰＲＢの数とノンアンカーページングＰＲＢのオフセット値を転送することを定めた場合、ＵＥは当該他の情報を読み取ってもよい。
【００５８】
Ｓ４３０において、アンカーＰＲＢが持つ情報に基づき、アンカーＰＲＢに対応するノンアンカーページングＰＲＢの情報を取得する。具体的には、ＵＥはＳＩＢ２からページングＰＲＢの数とノンアンカーページングＰＲＢのオフセット値を取得し、上記オフセット値は、参照周波数に対するノンアンカーページングＰＲＢのオフセット値である。上記オフセット値と参照周波数は上記文面において図２を参照しながら説明した内容と同様であり、ここでは簡略のために、それについての説明を省略する。
【００５９】
参照周波数と各ノンアンカーページングＰＲＢのオフセット値に基づき、ＵＥは各ノンアンカーページングＰＲＢの位置（周波数位置）を算出することができる。したがって、アンカーＰＲＢの周波数位置がすでに決定されているため、ページングＰＲＢがアンカーＰＲＢと上記ノンアンカーページングＰＲＢを含めるように予め設定されても、ノンアンカーページングＰＲＢのみを含めるように予め設定されても、ＵＥはシステム中の全てのページングＰＲＢを知ることができる。
【００６０】
以下、本開示の第１の実施例に係る基地局について説明する。図５は本開示の実施例の第１の実施の形態に係る基地局５００の構成を示す概略的なブロック図である。当該基地局は図２に示された方法を実行する。
【００６１】
図５に示すように、基地局５００は設定部５１０と送受信器５２０とを備える。注意すべきことは、図５は基地局５００において本開示の実施例と密接に関連する構成要素のみを示しており、これは説明的なものに過ぎず、必要に応じて、基地局５００は他の構成要素を備えてもよい。なお、設定部５１０と送受信器５２０により実行される操作の一部内容は上記文面において図２を参照しながら説明した内容と同様であるため、ここでは同様な内容についての説明を省略する。
【００６２】
設定部５１０は、アンカーＰＲＢに対応するノンアンカーページングＰＲＢを指示する情報を設定する。具体的には、設定部５１０は、アンカーＰＲＢに対応するノンアンカーページングＰＲＢを指示するための情報（例えばＳＩＢ２）にページングＰＲＢ数とノンアンカーページングＰＲＢのオフセット値を含めてもよく、このオフセット値は、参照周波数に対するノンアンカーページングＰＲＢのオフセット値である。参照周波数は、アンカーＰＲＢの周波数、直流トーンの周波数又は他の周波数であってもよい。オフセット値と参照周波数は上記文面において図２を参照しながら説明した内容と同様であり、ここでは簡略のために、その詳細な説明を省略する。
【００６３】
送受信器５２０は、アンカーＰＲＢにてアンカーＰＲＢに対応するノンアンカーページングＰＲＢを指示するための情報を送信する。例えば、ＳＩＢ２を用いてページングＰＲＢの数とノンアンカーページングＰＲＢのオフセット値を転送する場合、送受信器５２０は、アンカーＰＲＢにてＳＩＢ２を送信することで、アンカーＰＲＢに対応するノンアンカーページングＰＲＢを指示する情報を送信する。
【００６４】
以下、本開示の第１の実施例に係るＵＥについて説明する。図６は本開示の第１の実施例に係るＵＥの構成を示す概略的なブロック図である。
【００６５】
図６に示すように、ＵＥ６００は検出部６１０、読取部６２０及び取得部６３０を備える。注意すべきことは、図６はユーザ装置６００において本開示の実施例と密接に関連する構成要素のみを示しており、これは説明的なものに過ぎず、必要に応じて、ユーザ装置６００は他の構成要素を備えてもよい。
【００６６】
検出部６１０は、アンカーＰＲＢを検出する。例えば、検出部６１０はプライマリー同期信号（ＰＳＳ）／セカンダリー同期信号（ＳＳＳ）によってアンカーＰＲＢを検出することで、アンカーＰＲＢの周波数位置を決定する。
【００６７】
読取部６２０は、アンカーＰＲＢが持つ情報を読み取る。第１の実施例において、基地局がＳＩＢ２によってページングＰＲＢの数とノンアンカーページングＰＲＢのオフセット値を送信するため、読取部６２０はアンカーＰＲＢが持つＳＩＢ２を読み取る。他の実施例において、基地局とＵＥの間で予めアンカーＰＲＢが持つ他の情報を用いてページングＰＲＢの数とノンアンカーページングＰＲＢのオフセット値を転送することを定めた場合、読取部６２０は当該他の情報を読み取ってもよい。
【００６８】
取得部６３０は、アンカーＰＲＢが持つ情報に基づき、当該アンカーＰＲＢに対応するノンアンカーページングＰＲＢの情報を取得する。具体的には、取得部６３０は、アンカーＰＲＢが持つ情報（例えばＳＩＢ２）からページングＰＲＢの数とノンアンカーページングＰＲＢのオフセット値を取得し、オフセット値は、参照周波数に対するノンアンカーページングＰＲＢのオフセット値である。オフセット値と参照周波数は上記文面において図２を参照しながら説明した内容と同様であり、ここでは簡略のために、詳細な説明を省略する。
【００６９】
理解すべきことは、上記第１の実施例において、参照周波数に対するノンアンカーページングＰＲＢのオフセット値を送信することでノンアンカーページングＰＲＢの位置を決定し、ただし、これは限定的なものではない。第１の実施例のバリエーションにおいて、参照周波数に対するオフセット値を送信することなく、直接ノンアンカーページングＰＲＢの周波数位置を送信してもよい。
【００７０】
上記第１の実施例において、基地局はＵＥに対して明示的にページングＰＲＢ（ノンアンカーページングＰＲＢ）の情報を指示する。本開示の第２の実施例において、ＵＥは所定の規則によって自らページングＰＲＢを決定する。
【００７１】
以下、本開示の第２の実施例に係るＵＥにに対してページングＰＲＢを指示する方法について説明する。
【００７２】
本開示の第２の実施例に係る基地局においてＵＥに対しページングＰＲＢの情報を指示するための方法を示す概略的なフローチャートは、図２に示したフローチャートと類似し、ここでは簡略のために、重複して描かず、図２に示した参照符号をそのまま援用する。本開示の第２の実施例に係る方法と本開示の第１の実施例に係る方法との違いは、本開示の第２の実施例に係る方法の、Ｓ２１０において、アンカーＰＲＢが持つ情報の中にページングＰＲＢの数とノンアンカーページングＰＲＢのオフセット値ではなく、ノンアンカーＰＲＢをページングＰＲＢとして配置するかを指示するためのフラグを設定することである。
【００７３】
１つの例としては、アンカーＰＲＢにてＭＩＢを送信してもよいことを考慮し、したがってＭＩＢにおいてフラグｎｏｎ＿ａｎｃｈｏｒ＿ｐａｇｉｎｇ＿ＰＲＢ＿ｆｌａｇを設定することで、ノンアンカーＰＲＢをページングＰＲＢとして配置するかを指示する。当該フラグは１ビットを有してもよい。ｎｏｎ＿ａｎｃｈｏｒ＿ｐａｇｉｎｇ＿ＰＲＢ＿ｆｌａｇ＝０である場合は、ノンアンカーページングＰＲＢが設定されたことを示し、ｎｏｎ＿ａｎｃｈｏｒ＿ｐａｇｉｎｇ＿ＰＲＢ＿ｆｌａｇ＝１である場合は、ノンアンカーページングＰＲＢが配置されていないことを示し、「０」と「１」が互いに逆の意味を表すように設定しても良い。当然ながら、これは限定的なものではなく、ＭＩＢにおいて他の名称及び長さのフラグを設定することで、ノンアンカーＰＲＢをページングＰＲＢとして配置するかを指示してもよい。
【００７４】
次いで、Ｓ２２０において、基地局はアンカーＰＲＢにてＭＩＢを送信する。
【００７５】
同様に、第２の実施例においても、基地局とＵＥの間で予めページングＰＲＢにアンカーＰＲＢを含めるか否かを定めてもよい。当然ながら、アンカーＰＲＢが送信されるたびに、それに対応するページングＰＲＢに該アンカーＰＲＢを含めるかについても異なってもよく、それは基地局とＵＥの間の協定次第である。
【００７６】
ノンアンカーＰＲＢをページングＰＲＢとして配置するかを指示する情報のみを送信し、基地局とＵＥにおいては、基地局とＵＥの間の所定の規則によってページングＰＲＢを決定する。所定の規則は、アンカーＰＲＢと当該アンカーＰＲＢに対応するページングＰＲＢとの対応関係であってもよい。
【００７７】
具体的には、所定の規則は、以下の表１に示すルックアップテーブル（ＬＵＴ）のように、表の形式でＵＥと基地局に記憶されてもよい。表１はページングＰＲＢにアンカーＰＲＢを含める場合である。表１によれば、アンカーＰＲＢが決定されると、予め記憶された当該表１に基づき、ページングＰＲＢの数Ｎと各ノンアンカーページングＰＲＢのオフセット値を決定することで、各ノンアンカーページングＰＲＢの位置を決定することができる。
【表１】
2018030538.tif 000003
【００７８】
表１において、各アンカーＰＲＢを区別するために、Ａ、Ｂ、Ｃ又はＤはアンカーＰＲＢの識別子、その周波数（Ｈｚ）、ＰＲＢ番号などであってよい。ｍ、ｎ、ｘ及びｙは自然数である。
【００７９】
上述したように、ノンアンカーページングＰＲＢのオフセット値は、参照周波数に対するノンアンカーページングＰＲＢのオフセット値である。当該オフセット値は、上記文面において図２及び図３を参照しながら説明したオフセット値と同様であるため、ここでは詳細に説明しない。周波数軸でのノンアンカーページングＰＲＢの位置が連続的となるように、表１に示すノンアンカーページングＰＲＢの各オフセット値は連続的であってもよい。又は、周波数軸でのノンアンカーページングＰＲＢの位置が不連続的となるように、表１に示すノンアンカーページングＰＲＢの各オフセット値は不連続的であってもよい。又は、周波数軸でのノンアンカーページングＰＲＢの位置の一部が連続的で、一部が不連続的となるように、表１に示すノンアンカーページングＰＲＢの各オフセット値は一部が連続的で、一部が不連続的であってもよい。
【００８０】
例えば、図７はページングＰＲＢの数がｍである場合（すなわち表１において第１行の場合）のページングＰＲＢの配置を示す概略図である。
【００８１】
図７に示すように、ノンアンカーページングＰＲＢ１〜ノンアンカーページングＰＲＢｍ−１は周波数的に連続的であり、直流トーン（ＤＣ  ｔｏｎｅ）に対するオフセット値が＋ＭのＰＲＢは、ノンアンカーページングＰＲＢ１〜ノンアンカーページングＰＲＢｍ−１の中で直流トーンに一番近いノンアンカーページングＰＲＢを示す。本図において、ＭはノンアンカーページングＰＲＢ１と直流トーンの間のＰＲＢの数で表示する。
【００８２】
図７に示す場合において、表１中の第１行を以下の表２のように簡略化した表２に書き直してもよい。
【表２】
2018030538.tif 000004
【００８３】
注意すべきことは、図７は例示的なものに過ぎない。図７において、アンカーＰＲＢとノンアンカーページングＰＲＢ１〜ノンアンカーページングＰＲＢｍ−１はそれぞれ直流トーンの両側に位置しているが、本開示の実施例はそれについて限定せず、アンカーＰＲＢとノンアンカーページングＰＲＢ１〜ノンアンカーページングＰＲＢｍ−１は直流トーンの同一側に位置してもよい。又は、アンカーＰＲＢとノンアンカーページングＰＲＢ１〜ノンアンカーページングＰＲＢｍ−１の中の一部がＤＣ  ｔｏｎｅの同一側に位置し、ノンアンカーページングＰＲＢ１〜ノンアンカーページングＰＲＢｍ−１の中のもう一部がＤＣ  ｔｏｎｅの別の側に位置してもよい。
【００８４】
なお、上述したように、ノンアンカーページングＰＲＢ１〜ノンアンカーページングＰＲＢｍ−１は分散的であってもよく、例えば、ＰＲＢ数を単位としてオフセット値を表示する場合、Ｏｆｆｓｅｔ＿１〜Ｏｆｆｓｅｔ＿ｍ−１は２、４、７、１１……のような値を有する場合もある。
【００８５】
以下、本開示の第２の実施例に係るＵＥにおいてページングＰＲＢの情報を取得するための方法について説明する。本開示の第２の実施例に係るＵＥにおいてページングＰＲＢの情報を取得するための方法を示す概略的なフローチャートは、図４に示した本開示の第１の実施例に係るＵＥにおいてページングＰＲＢの情報を取得するための方法を示すフローチャートと類似し、ここでは簡略のために、重複して描かず、図４に示した参照符号をそのまま援用する。
【００８６】
本開示の第２の実施例に係るＵＥにおいてページングＰＲＢの情報を取得するための方法と本開示の第１の実施例に係る方法との違いは、第２の実施例の、Ｓ４２０においてアンカーＰＲＢ中のＭＩＢを読み取り、ＭＩＢに含まれたフラグによりノンアンカーページングＰＲＢが配置されたことを示す場合、Ｓ４３０において上記文面に記載の所定の規則によってノンアンカーページングＰＲＢに関する情報を取得し、最終的にノンアンカーページングＰＲＢの位置を取得する。例えば、ステップＳ４１０においてアンカーＰＲＢが検出されると、表１において該アンカーＰＲＢに対応するページングＰＲＢの数と参照周波数に対する各ノンアンカーページングＰＲＢのオフセット値を照合することで、各ノンアンカーページングＰＲＢを含め全てのページングＰＲＢの位置を決定することができる。
【００８７】
本開示の実施例に係る第２の実施の形態の基地局とＵＥの構成は図５及び図６に示した構成と類似し、ここでは簡略のために、重複して描かず、図５及び図６に示した参照符号をそのまま援用する。
【００８８】
本開示の実施例に係る第２の実施の形態の基地局５００は設定部５１０と送受信器５２０と、を備える。
【００８９】
設定部５１０は、アンカーＰＲＢに対応するノンアンカーページングＰＲＢを指示する情報を設定する。具体的には、設定部５１０はＭＩＢにおいてノンアンカーＰＲＢをページングＰＲＢとして配置するかを指示するためのフラグを設定してもよく、該フラグは前述したｎｏｎ＿ａｎｃｈｏｒ＿ｐａｇｉｎｇ＿ＰＲＢ＿ｆｌａｇなどである。
【００９０】
送受信器５２０は、アンカーＰＲＢでアンカーＰＲＢに対応するノンアンカーページングＰＲＢを指示するための情報を送信する。送信される情報はＭＩＢであってもよい。
【００９１】
設定部５１０は、所定の規則に基づき、予め決定されたページングＰＲＢ数と参照周波数に対するノンアンカーページングＰＲＢのオフセット値によって該アンカーＰＲＢに対応するノンアンカーページングＰＲＢを決定する。
【００９２】
本開示の実施例に係る第２の実施の形態のＵＥ６００は検出部６１０、読取部６２０及び取得部６３０を備える。
【００９３】
検出部６１０はアンカーＰＲＢを検出する。検出部６１０は図４中のＳ４１０を実行し、ここでは説明を省略する。
【００９４】
読取部６２０は、アンカーＰＲＢが持つ情報を読み取る。具体的には、読取部６２０が読み取る情報はＭＩＢであってもよい。
【００９５】
取得部６３０は、アンカーＰＰＢが持つ情報に基づき、該アンカーＰＲＢに対応するノンアンカーページングＰＲＢの情報を取得する。具体的には、アンカーＰＲＢが持つ情報（例えばＭＩＢ）はノンアンカーＰＲＢをページングＰＲＢとして配置するかを指示するためのフラグを含み、該フラグは例えば前述した１ビッドのｎｏｎ＿ａｎｃｈｏｒ＿ｐａｇｉｎｇ＿ＰＲＢ＿ｆｌａｇであり、フラグによりノンアンカーページングＰＲＢが配置されたことを示された場合、取得部６３０は所定の規則によってアンカーＰＲＢに対応するノンアンカーページングＰＲＢの情報を取得する。例えば、アンカーＰＲＢが検出されると、表１において該アンカーＰＲＢに対応するページングＰＲＢの数と参照周波数に対する各ノンアンカーページングＰＲＢのオフセット値を照合することで、各ノンアンカーページングＰＲＢを含めた全てのページングＰＲＢの位置を決定する。
【００９６】
本開示の上記実施例によれば、ＵＥはアンカーＰＲＢにて転送された情報を読み取ることによってノンアンカーページングＰＲＢを含めた全ての利用可能なページングＰＲＢの情報を取得することができる。
【００９７】
なお、通信において、これらの利用可能なページングＰＲＢの中の１つ又は複数をＵＥに割り当てる必要があり、それに応じて、ＵＥはどのページングＰＲＢが該ＵＥに割り当てられたかを知る必要がある。
【００９８】
図８は本開示の実施例に係るＵＥにおいてページングＰＲＢの割り当てを決定するための方法８００を示す概略的なフローチャートである。
【００９９】
図８に示すように、Ｓ８１０において、複数のページングＰＲＢのページングＰＲＢインデックスを生成する。ＵＥは周波数の昇順又は降順の何れかによって複数のページングＰＲＢのページングＰＲＢインデックスを生成してもよく、ページングＰＲＢの数がＮである場合、ページングＰＲＢインデックスは例えばＰａｇｉｎｇ＿ＰＲＢ＿Ｉｎｄｅｘ＿０〜Ｐａｇｉｎｇ＿ＰＲＢ＿Ｉｎｄｅｘ＿Ｎ−１である。
【０１００】
Ｓ８２０において、ＵＥとページングＰＲＢインデックスの間のマッピング関係によって、上記複数のページングＰＲＢのうち該ＵＥに割り当てられたページングＰＲＢを決定する。
【０１０１】
具体的には、Ｓ８２０において、ＵＥの識別子（ＵＥ＿ＩＤ）とページングＰＲＢ数のＮを取得する。ＵＥはアンカーＰＲＢにて転送されたＳＩＢ２などの情報からＮを取得してもよく、或いは、ＵＥはＬＵＴを照合することで該アンカーＰＲＢのために配置されたページングＰＲＢの数Ｎを得てもよい。ＵＥ＿ＩＤは該ＵＥの国際移動体加入者識別番号（ＩＭＳＩ）又はＳ一時的移動加入者識別番号（Ｓ−ＴＭＳＩ）であってもよく、当然ながら、ＵＥ＿ＩＤはＵＥの他の識別子であってもよく、それがＵＥを一意に識別できればよく、本開示の実施例はそれにより限定されない。
【０１０２】
次いで、ＵＥ＿ＩＤがＮを法とする結果、すなわちＵＥ＿ＩＤ  ｍｏｄ  Ｎ＝ωｉを計算し、結果（ωｉ）、具体的にはｉに基づいてページングＰＲＢインデックスを決定する。
【０１０３】
ωは基地局により割り当てられたウェイトであり、ＵＥのタイプ又はＰＲＢ配置に応じて異なってもよく、ωは正の有理数である。
【０１０４】
ω＝１である場合、ＵＥ＿ＩＤ  ｍｏｄ  Ｎの結果はすなわち該ＵＥに割り当てられたページングＰＲＢである。図９は、ω＝１である場合に割り当てられたページングＰＲＢイデックスの例を示している。図９において、Ｎ＝４で、ページングＰＲＢがアンカーＰＲＢとノンアンカーページングＰＲＢを含むとする。図９に示された例において、周波数の昇順によってページングＰＲＢインデックスを生成する。以下の表３は対応の割り当て結果を示している。
【表３】
2018030538.tif 000005
【０１０５】
示されたとおり、ω＝１である場合、４つのページングＰＲＢは基本的に同じ確率でＵＥに割り当てられてもよい。
【０１０６】
あるページングＰＲＢ（又は一部のページングＰＲＢ）の負荷が重過ぎるか、或いは特定のＵＥに特定のページングＰＲＢを割り当てることが望まれる場合、基地局はωを１に等しくない他の値と定義してもよい。このような場合、ＵＥ＿ＩＤ  ｍｏｄ  Ｎの結果をウェイトωで除算し、ウェイトで除算して得た値ｉに基づいてページングＰＲＢインデックスを決定し、ウェイトは基地局により割り当てられる。このような場合、予めｉの範囲を設定し、ウェイトで除算して得た値ｉを何れかの範囲に入るようにすることでページングＰＲＢを割り当てる。
【０１０７】
以下の表４はω＝２である場合の割り当て結果を示しており、Ｎ＝４である。この場合、ｉ＝０、１／２、１、３／２である。
【表４】
2018030538.tif 000006
【０１０８】
上記の表４に示すように、算出したｉが含まれる範囲によってページングＰＲＢインデックスを割り当てる。具体的には、ｉ＝０、１／２である場合、ＵＥにＰａｇｉｎｇ＿ＰＲＢ＿Ｉｎｄｅｘ＿０を割り当てる；ｉ＝１である場合、ＵＥにＰａｇｉｎｇ＿ＰＲＢ＿Ｉｎｄｅｘ＿１を割り当てる；ｉ＝３／２である場合、ＵＥにＰａｇｉｎｇ＿ＰＲＢ＿Ｉｎｄｅｘ＿２を割り当てる。常に如何なるＵＥにもＰａｇｉｎｇ＿ＰＲＢ＿Ｉｎｄｅｘ＿３を割り当てない。
【０１０９】
示されたとおり、ω≠１である場合、複数のページングＰＲＢがＵＥに割り当てられる確率は異なる。
【０１１０】
図１０は本発明の実施例に係る基地局においてページングＰＲＢを割り当てる方法１０００を示す概略的なフローチャートである。
【０１１１】
図１０に示すように、Ｓ１０１０において、複数のページングＰＲＢのページングＰＲＢインデックスを生成する。基地局は周波数の昇順又は降順の何れかによって複数のページングＰＲＢのページングＰＲＢインデックスを生成してもよく、ページングＰＲＢの数がＮである場合、ページングＰＲＢインデックスは例えばＰａｇｉｎｇ＿ＰＲＢ＿Ｉｎｄｅｘ＿０〜Ｐａｇｉｎｇ＿ＰＲＢ＿Ｉｎｄｅｘ＿Ｎ−１である。
【０１１２】
Ｓ１０２０において、ＵＥとページングＰＲＢインデックスの間のマッピング関係によってページングＰＲＢを割り当てる。
【０１１３】
具体的には、Ｓ１０２０において、基地局はＵＥの識別子（ＵＥ＿ＩＤ）とページングＰＲＢ数Ｎを取得する。基地局は、基地局とＵＥの間の以前のシグナリングに該ＵＥ＿ＩＤを含ませたり、或いは基地局がＵＥにそのＵＥ＿ＩＤを教えるように求めたりするなどの任意の方式でＵＥ＿ＩＤを取得してもよい。上述したように、ＵＥ＿ＩＤは該ＵＥのＩＭＳＩ又はＳ−ＴＭＳＩであってもよく、当然ながら、ＵＥ＿ＩＤはＵＥの他の識別子であってもよく、それが一意にＵＥを識別できればよく、本開示の実施例はそれにより限定されない。基地局においてページングＰＲＢの数は既知である。次いで、基地局によりＵＥ＿ＩＤがＮを法とする結果を計算し、計算結果に基づいてページングＰＲＢインデックスを割り当てる。
【０１１４】
基地局によりＵＥ＿ＩＤがＮを法とする結果に基づいてページングＰＲＢインデックスを割り当てることは上記の図８、図９、表３及び表４を参照しながら説明した内容と類似し、ここでは説明を省略する。
【０１１５】
なお、ω≠１である場合、基地局はＵＥ＿ＩＤ  ｍｏｄ  Ｎの結果をウェイトωで除算し、ウェイトで除算して得た値に基づき、割り当てられるページングＰＲＢインデックスを得る。上述したように、ωは基地局により割り当てられる。具体的には、基地局は予めｉの範囲を設定し、ウェイトで除算して得た値ｉをある範囲に入るようにしてページングＰＲＢを割り当てる。
【０１１６】
図１１は本開示の実施例に係るＵＥ１１００の構成を示す概略的なブロック図である。
【０１１７】
図１１に示すように、ＵＥ１１００はインデックス生成部１１１０と決定部１１２０と、を備える。注意すべきことは、図１１はＵＥ１１００において本開示の実施例と密接に関連する構成要素のみを示しており、これは説明的なものに過ぎず、必要に応じて、ＵＥ１１００は他の構成要素を備えてもよい。
【０１１８】
イデックス生成部１１１０は複数のページングＰＲＢのページングＰＲＢインデックスを生成する。イデックス生成部１１１０は周波数の昇順又は降順の何れかによって複数のページングＰＲＢのページングＰＲＢインデックスを生成してもよく、ページングＰＲＢの数がＮである場合、ページングＰＲＢインデックスは例えばＰａｇｉｎｇ＿ＰＲＢ＿Ｉｎｄｅｘ＿０〜Ｐａｇｉｎｇ＿ＰＲＢ＿Ｉｎｄｅｘ＿Ｎ−１である。
【０１１９】
決定部１１２０はＵＥとページングＰＲＢインデックスの間のマッピング関係によって、複数のページングＰＲＢのうち該ＵＥに割り当てられたページングＰＲＢを決定する。
【０１２０】
具体的には、決定部１１２０はＵＥの識別子（ＵＥ＿ＩＤ）とページングＰＲＢの数Ｎを取得し、ＵＥ＿ＩＤがＮを法とする結果を計算し、計算結果に基づいてページングＰＲＢインデックスを決定する。そのプロセスは上記の図８、図９、表３及び表４を参照しながら説明した内容と類似し、ここでは説明を省略する。
【０１２１】
ω≠１である場合、決定部１１２０はＵＥ＿ＩＤ  ｍｏｄ  Ｎの結果をウェイトωで除算し、ウェイトで除算して得た値に基づいて割り当てられたページングＰＲＢインデックスを取得する。上述したように、ωは基地局により割り当てられる。具体的には、決定部１１２０は予めｉの範囲を設定し、ウェイトで除算して得た値ｉを何れかの範囲に入るようにしてページングＰＲＢを割り当てる。
【０１２２】
図１２は本開示の実施例に係る基地局１２００の構成を示す概略的なブロック図である。
【０１２３】
図１２に示すように、基地局１２００はインデックス生成部１２１０と割当部１２２０を備える。注意すべきことは、図１２は基地局１２００において本開示の実施例と密接に関連する構成要素のみを示しており、これは説明的なものに過ぎず、必要に応じて、基地局１２００は他の構成要素を備えてもよい。
【０１２４】
インデックス生成部１２１０は複数のページングＰＲＢのページングＰＲＢインデックスを生成する。インデックス生成部１２１０は周波数の昇順又は降順の何れかによって複数のページングＰＲＢのページングＰＲＢインデックスを生成してもよく、ページングＰＲＢの数がＮである場合、ページングＰＲＢインデックスは例えばＰａｇｉｎｇ＿ＰＲＢ＿Ｉｎｄｅｘ＿０〜Ｐａｇｉｎｇ＿ＰＲＢ＿Ｉｎｄｅｘ＿Ｎ−１である。
【０１２５】
割当部１２２０はＵＥとページングＰＲＢインデックスの間のマッピング関係によってページングＰＲＢを割り当てる。
【０１２６】
具体的には、割当部１２２０はＵＥの識別子（ＵＥ＿ＩＤ）とページングＰＲＢの数Ｎを取得し、ＵＥ＿ＩＤがＮを法とする結果を計算し、計算結果に基づいてページングＰＲＢインデックスを決定する。そのプロセスは上記の図８、図９、表３及び表４を参照しながら説明した内容と類似し、ここでは説明を省略する。
【０１２７】
なお、ω≠１である場合、基地局はＵＥ＿ＩＤ  ｍｏｄ  Ｎの結果をウェイトωで除算し、ウェイトで除算して得た値に基づき、割り当てるページングＰＲＢインデックスを取得する。上述したように、ωは基地局により割り当てられる。具体的には、割当部１２２０は予めｉの範囲を設定し、ウェイトで除算して得た値ｉを何れかの範囲に入るようにしてページングＰＲＢを割り当てる。
【０１２８】
本開示の実施例によれば、基地局は複数の利用可能なページングＰＲＢにおいて特定のＵＥにページングＰＲＢを割り当てることができ、なお該ＵＥも複数の利用可能なページングＰＲＢの中のどのページングＰＲＢが該ＵＥに割り当てられたかを決定することができる。
【０１２９】
説明すべきことは、本明細書において、用語「含む」、「含まれる」又は他の変形は非排他的な「包含」をカバーすることを意図し、一連の要素を含むプロセス、方法、物品又は装置がそれらの要素を含むだけでなく、明確に示していない他の要素もさらに含み、或いはこれらのプロセス、方法、物品又は装置が備えた固有の要素をさらに含む。さらなる限定がされていない場合に、文句「１つの……を含む」により限定された要素は、上記要素を含むプロセス、方法、物品又は装置に他の同様な要素がさらに存在することを除外しない。
【０１３０】
最後に、説明すべきことは、上記一連の処理はここに記載された時間順序により実行される処理を含むだけでなく、時間順序通りではなく並列又は別別に実行される処理も含む。
【０１３１】
上述した実施の形態によれば、当業者は本開示がソフトウェアに必要なハードウェアプラットフォームを加える形態によって実現されてもよく、当然ながら全てをハードウェアにて実現されてもよいことが分かる。このような理解の上、本開示の技術案が背景技術に貢献する全て又は一部はソフトウェア製品の形態によって具現されてもよく、該コンピュータソフトウェア製品は、１台のコンピュータ装置（パーソナルコンピュータ、サーバー、又はネットワーク装置など）で本開示の各実施例又は実施例の一部に記載された方法を実行するための複数のコマンドを含むＲＯＭ／ＲＡＭ、磁気ディスク、光ディスクなどのような記憶媒体に格納されてもよい。
【０１３２】
以上、本開示について詳細に説明したが、本明細書は具体的な例を適用して本開示の原理及び実施の形態について記述し、上記実施例について説明は本開示の方法及びその核心思想を理解するためのものに過ぎない。また、当業者であれば、本開示の思想に基づいて、具体的な実施の形態及び適用範囲について変更を行うこともでき、要するに、本明細書の内容は本開示を限定するものではないことを理解すべきである。
【図１】
2018030538.tif 000007
【図２】
2018030538.tif 000008
【図３】
2018030538.tif 000009
【図４】
2018030538.tif 000010
【図５】
2018030538.tif 000011
【図６】
2018030538.tif 000012
【図７】
2018030538.tif 000013
【図８】
2018030538.tif 000014
【図９】
2018030538.tif 000015
【図１０】
2018030538.tif 000016
【図１１】
2018030538.tif 000017
【図１２】
2018030538.tif 000018
【国際調査報告】
2018030538.tif 000019
2018030538.tif 000020
2018030538.tif 000021
2018030538.tif 000022